(57)【要約】  本発明は、治療プロトコルに従った液体薬剤を噴霧するための、エアロゾルジェネレーター（３１）を有するエアロゾルネブライザー（３０）を使用する際、治療プロトコル対する遵守を評価するための医療評価装置（１０）に関する。前記医療評価装置（１０）は、通信ユニット（１００）を備え、通信装置（２０）を有する通信接続の確立を構成し、前記通信装置（２０）を介して前記エアロゾルネブライザー（３０）のネブライザー制御装置（４０）に第１構成データを提供し、前記第１構成データは前記治療プロトコルに従って前記エアロゾルネブライザーを構成し、前記通信装置（２０）から前記エアロゾルネブライザーの動作を命令する噴霧データを受信し、さらに、評価ユニット（１１０）は、前記治療プロトコル内で定義される各パラメータを有する前記受信された噴霧データの比較に基づく前記治療プロトコルに対する前記遵守を評価するように構成される。前記評価ユニット（１１０）は、さらに、フィードバックデータに関する治療を行うように構成される。【選択図】図２
2019504696.tif 000002
【特許請求の範囲】
【請求項１】
治療プロトコルに従って液体薬剤を噴霧するための、エアロゾルジェネレーター（３１）を有するエアロゾルネブライザー（３０）を使用するときの前記治療プロトコルに対する遵守を評価するための医療評価装置（１０）であって、
前記医療評価装置（１０）は、
通信装置（２０）との通信接続を確立するように構成された通信ユニット（１００）であって、前記通信接続が、
前記治療プロトコルに従って前記エアロゾルネブライザーを構成するための第１構成データを前記通信装置（２０）を介して前記エアロゾルネブライザーのネブライザー制御装置（４０）に供給し、
前記通信装置（２０）から、前記エアロゾルネブライザーの動作を示す噴霧データを受信する、
ように構成される、通信ユニット（１００）と、
前記受信した噴霧データと前記治療プロトコル内で定義されたそれぞれのパラメータとの比較に基づいて、前記治療プロトコルに対する前記遵守を評価するように構成された評価ユニット（１１０）と、を含み、
前記評価ユニット（１１０）は、治療関連のフィードバックデータを生成するためにさらに構成される、
医療評価装置（１０）。
【請求項２】
前記通信ユニット（１００）は、前記制御装置（４０）の識別値と前記通信装置（２０）の識別値との間の関連付けを前記通信装置（２０）に転送するようにさらに構成される、請求項１に記載の医療評価装置（１０）。
【請求項３】
前記通信ユニット（１００）は、前記通信装置（２０）と前記ネブライザー制御装置（４０）との間の無線通信接続の確立をアクティブ化するために、前記通信装置（２０）に命令を転送するようにさらに構成される、請求項１または２に記載の医療評価装置（１０）。
【請求項４】
前記通信ユニット（１００）は、前記通信装置（２０）と前記ネブライザー制御装置（４０）との間の前記無線通信接続を非アクティブ化するために、前記通信装置（２０）に非アクティブ化の命令を転送するようにさらに構成される、請求項１〜３のいずれか１項に記載の医療評価装置（１０）。
【請求項５】
前記第１構成データは、前記制御装置（４０）の識別値、現在の日付、現在の時刻、最大噴霧持続時間、最大記憶可能記録数、自動データ転送の非アクティブ化、および前記液体薬剤に使用可能な１つまたは複数の薬物の識別、の少なくとも１つを含む、請求項１〜４のいずれか１項に記載の医療評価装置（１０）。
【請求項６】
前記噴霧データは、噴霧日付、噴霧時刻、噴霧持続時間、前記エアロゾルネブライザーのスイッチオフのための１つまたは複数の中断基準、ユーザーによる使用状態、リザーバ内の前記液体薬剤の充填レベル、前記ユーザーの吸入／吐出の流量／容量／時間特性、および前記液体薬剤に使用される１つまたは複数の薬物のリスト、の少なくとも１つを含む、請求項１〜５のいずれか１項に記載の医療評価装置（１０）。
【請求項７】
前記噴霧データを受信することは、前記通信装置（２０）の識別と前記ネブライザー制御装置（４０）の識別とを受信することに関連する、請求項１〜６のいずれか１項に記載の医療評価装置（１０）。
【請求項８】
前記評価ユニット（１１０）は、前記通信装置（２０）の受信された前記識別と前記ネブライザー制御装置（４０）の受信された前記識別が記憶された識別対と一致する場合にのみ、前記遵守を評価するようにさらに構成される、請求項１〜７のいずれか１項に記載の医療評価装置（１０）。
【請求項９】
暗号化／復号化ユニット（１２０）を含み、前記暗号化／復号化ユニット（１２０）は、前記構成データを暗号化し、前記噴霧データを復号化するようにさらに構成される、請求項１〜８のいずれか１項に記載の医療評価装置（１０）。
【請求項１０】
前記評価ユニット（１１０）は、前記治療プロトコルの定義された期間における毎日の遵守率および／または累積遵守率を計算するようにさらに構成される、請求項１〜９のいずれか１項に記載の医療評価装置（１０）。
【請求項１１】
前記評価ユニット（１１０）は、各ユーザーまたは定義されたユーザーグループの遵守報告を作成するようにさらに構成される、請求項１〜１０のいずれか１項に記載の医療評価装置（１０）。
【請求項１２】
前記噴霧データは、前記エアロゾルネブライザー（３０）の連続的な動作のための噴霧開始時間および噴霧持続時間をそれぞれ含み、前記評価ユニット（１１０）は、必要最小吸入持続時間が前記エアロゾルネブライザー（３０）の前記連続的な動作にそれぞれ達したかを判定するようにさらに構成される、請求項１〜１１のいずれか１項に記載の医療評価装置（１０）。
【請求項１３】
前記評価ユニット（１１０）は、前記毎日の遵守率および／または前記累積遵守率が前記治療プロトコルで定義された前記それぞれのパラメータと一致しない場合、前記治療関連のフィードバックデータを生成するようにさらに構成されている、請求項１〜１２のいずれか１項に記載の医療評価装置（１０）。
【請求項１４】
前記治療関連のフィードバックデータは、前記ネブライザー制御装置（４０）で命令を生成するように構成される、請求項１〜１３のいずれか１項に記載の医療評価装置（１０）。
【請求項１５】
前記評価ユニット（１１０）は、前記治療プロトコルに対する前記遵守を薬物特異的に評価するようにさらに構成される、請求項１〜１４のいずれか１項に記載の医療評価装置（１０）。
【請求項１６】
前記医療評価装置（１０）は、呼吸器系の状態ならびに／または患者の肺の状態および／もしくは機能を監視するための診断装置（５０）を追加的に使用するとき、前記治療プロトコルに対する遵守を評価するようにさらに適合されている、請求項１〜１５のいずれか１項に記載の医療評価装置（１０）。
【請求項１７】
前記診断装置（５０）は、肺活量測定装置および／または非呼吸パラメータを測定するための装置である、請求項１６に記載の医療評価装置（１０）。
【請求項１８】
前記通信接続は、
前記治療プロトコルに従って前記診断装置（５０）を構成するための第２構成データを、前記通信装置（２０）を介して前記診断装置（５０）の診断制御装置に供給すること、および
前記呼吸器系の状態ならびに／または前記患者の肺の状態および／もしくは機能を示す診断データを受信すること、
のためにさらに確立される、請求項１６または１７に記載の医療評価装置（１０）。
【請求項１９】
前記第２構成データは、呼吸値および非呼吸値の少なくとも１つを含む、請求項１８に記載の医療評価装置（１０）。
【請求項２０】
前記呼吸値は、呼吸データ、特に呼吸周波数、吐出流量または吸入流量、吸入／吐出の持続時間および／または吸入容量を含む、請求項１９に記載の医療評価装置（１０）。
【請求項２１】
前記医療評価装置（１０）は、前記治療プロトコルを適合させるときに前記診断データを使用するようにさらに構成される、請求項１８〜２０のいずれか１項に記載の医療評価装置（１０）。
【請求項２２】
前記医療評価装置（１０）は、前記ネブライザー制御装置に前記第１構成データを適合させるときに、前記診断データを使用するようにさらに構成される、請求項１８〜２１のいずれか１項に記載の医療評価装置（１０）。
【請求項２３】
命令を含むコンピュータプログラムであって、前記プログラムが１つまたは複数のデータプロセッサ上で実行されると、前記１つのデータプロセッサまたは前記複数のデータプロセッサに請求項１〜２２のいずれか１項に記載の医療評価装置（１０）を実行させるように構成された、命令を含むコンピュータプログラム。
【請求項２４】
請求項１〜２２のいずれか１項に記載の医療評価機器（１０）、
通信装置（２０）、
ネブライザー制御装置（４０）、および、
エアロゾルネブライザー（３０）、
を備えるシステム。
【請求項２５】
さらに診断装置（５０）を備える、請求項２４に記載のシステム。
【発明の詳細な説明】
【技術分野】
【０００１】
本発明は、医療評価装置、特に、エアロゾルネブライザーを使用する場合の治療プロトコルに対する遵守を評価するための医療評価装置に関する。
【背景技術】
【０００２】
図１に示すような、従来のエアロゾルネブライザーは、液体薬剤からエアロゾルを生成するエアロゾルジェネレーター３１を有するエアロゾルネブライザー３０を有することが知られている。
【０００３】
例えば、ネブライザーの更なる小型化および軽量の手で扱いやすい部分といったような、ユーザーのためにエアロゾルネブライザーの有用性を改良するために、外部制御装置４０が使用され得る。そのような制御装置４０は、コミュニケーションインターフェース４００、プロセッサ４１０、例えば、揮発性および／または不揮発性のメモリー形態のような、メモリー４２０、ディスプレイ４３０、およびインプットユニット４４０を有するかも知れない。それは、キーボードの形態、個々のボタン、またはディスプレイの接触感受面を構成し得る。そのような外部制御装置４０は、エアロゾルネブライザー３０との無線通信接続を確立してエアロゾルネブライザー３０に構成データを転送して、エアロゾルジェネレーター３１の動作を適切に設定および制御するように動作することができる。同様に、エアロゾルネブライザーの動作を示す噴霧データおよび／またはユーザーによるエアロゾルネブライザーの使用を示す噴霧データは、エアロゾルネブライザー３０から外部制御装置４０への無線通信接続を介して生成し、転送することができる。吸入データおよび／または測定データを含み得るそのような噴霧データは、例えば、エアロゾル噴霧器を用いて、エアロゾルネブライザーの内部制御ユニットおよび／またはエアロゾルネブライザーに取り付けられる、および／またはエアロゾルネブライザーに接続された１つ以上のセンサーによって生成され得る。そのような外部制御装置の一例は、例えば特許文献１または特許文献２に記載されているようなスマートフォンまたはＰＤＡの形態の外部計算装置である。そのような外部制御装置は、遠距離通信モジュールをさらに備え、例えば、遠隔医療および医療評価目的のため、および（集中した）電子健康記録の目的のために、インターネットを介して中央データベースに噴霧データを転送する機能をさらに提供し得る。
【０００４】
しかし、遠隔医療機能を用いた改善された評価プロセスによる吸入治療の医学的成功を改善しようと試みる一方で、ユーザー／患者は、不明確で安全でないデータチャネルを介してエアロゾルネブライザーの動作および／または使用の変化に起因する所定の治療プロトコルを変更し得る対応するフィードバックの受信のため、および医療評価目的のために中央サーバに対して、上記の噴霧データを含む個人ヘルスケアデータの中央評価サーバへの転送に関して非常に敏感であり得る。したがって、エアロゾルネブライザーと中央サーバとの間でデータを慣習的に転送する場合には、個人の健康データの機密性および完全性ならびに信頼できる技術フィードバックは、保証されない重要な属性である。
【先行技術文献】
【特許文献】
【０００５】
【特許文献１】独国特許出願公開第１０２４３３７１号明細書
【特許文献２】米国特許出願公開第２００６／０２３７００１号明細書
【発明の概要】
【発明が解決しようとする課題】
【０００６】
このような背景の下、本発明の目的は、上記の技術的な欠点を克服する医療評価装置を提供することである。
【課題を解決するための手段】
【０００７】
本発明の医療評価装置の特徴は、請求項１に規定される。有利な実施形態は、従属項に記載される。本発明のコンピュータプログラムの特徴は、さらに請求項２３に規定される。加えて、本発明のシステムの特徴は、さらに請求項２４に規定される。
【図面の簡単な説明】
【０００８】
【図１】エアロゾルネブライザー制御装置およびエアロゾルネブライザーの概略図を示す。
【図２】通信装置、エアロゾルネブライザー制御装置、およびエアロゾルネブライザーとの伝達作用における医療評価装置の概略図を示す。
【図３ａ】制御装置の識別値と通信装置の識別値との間の関連を示す。
【図３ｂ】制御装置の識別値と、通信装置の識別値とユーザー識別値との関連を示す。
【図４】通信装置、エアロゾルネブライザー制御装置、およびエアロゾルネブライザーとの通信相互作用における医療評価装置の概略図を示す。
【図５】一実施形態による医療評価装置で作成された吸入レポートの一例を示す。
【図６】一実施形態による医療評価装置で作成される吸入レポートの別の例を示す。
【図７】一実施形態による医療評価装置で作成される吸入レポートの別の例を示す。
【図８】通信装置、エアロゾルネブライザー制御装置、エアロゾルネブライザー、および診断装置との通信相互作用における医療評価装置の概略図を示す。
【発明を実施するための形態】
【０００９】
本発明の実施形態を、図面を参照して説明する。以下の説明は、本発明を限定するものと解釈されるべきではない。以下および上記において、類似または同一の参照符号は、類似または同一の要素または動作を示す。
【００１０】
図２は、通信装置２０、エアロゾルネブライザー３０、および制御装置４０との関係および通信相互作用における一実施形態による医療評価装置１０の概略図を示す。ここで、医療評価装置１０は、後述するように、治療プロトコルに従って液体薬剤を噴霧するためにユーザー／患者によってエアロゾルネブライザー３０が使用されるときに、治療プロトコルに対する遵守を評価するように構成される。治療プロトコルに対する遵守の評価とは、一般に、ユーザー／患者が治療プロトコルによって規定されるような吸入プロセスを実行するかどうか、および／またはエアロゾルネブライザー３０が治療プロトコルによって必要に応じて動作するかどうかについての評価を指す。
【００１１】
より具体的には、図２の制御装置４０は、エアロゾルジェネレーター３１、例えば膜エアロゾルジェネレーターなどを含み得るエアロゾルネブライザー３０と通信相互作用（無線または有線、または電子的に接続または直接一体化）しており、エアロゾルジェネレーター３１は、エアロゾルネブライザー３０のリザーバ（図示せず）に保持された液体薬剤を霧状にするのに適している。液体薬剤は、少なくとも１つの医療薬物、すなわち、活性物質または医薬成分を含む流体であってもよい。液体薬剤は、エアロゾルジェネレーター３１によってエアロゾルに変換され、エアロゾルジェネレーター３１は、続いて、マウスピース、顔面マスク、鼻プロングなどの患者インターフェース３５に接続された吸入チャンバー３４に入る。患者インターフェースから、患者／ユーザーは、エアロゾルを呼吸路に吸入して、（エアロゾル）治療プロトコルに従って肺、咽喉、鼻または副鼻腔の医療処置を行う。さらに、エアロゾルジェネレーター３１は、エアロゾルネブライザー３０の通信インターフェース３３および操作ユニット３２を介して制御装置４０から提供され得る構成データに従って動作する。エアロゾルネブライザー３０は、制御装置４０との通信相互作用を介して、エアロゾルネブライザー３０における１つまたは複数のセンサー（図示せず）によって生成された、および／またはエアロゾルネブライザー３０に接続された、吸入データおよび／または測定データを含み得る噴霧データを提供する。そのようなセンサーの例は、膜エアロゾルジェネレーター３１の状態を検出するための、エアロゾルネブライザー３０のリザーバ内の液体薬剤の充填レベルを検出するための、ユーザー／患者のエアロゾルネブライザー３０の使用中に吸入／吐出の流量／容量／時間特性を検出するための、センサーなどである。
【００１２】
図２に示すように、制御装置４０は、エアロゾルネブライザー３０とは別個に設けられ、エアロゾルネブライザー３０からできるだけ多くの制御機能を分離する。しかしながら、これは限定的なものではなく、制御装置４０は、エアロゾルネブライザー３０の一体部分として、例えば、エアロゾルネブライザーの一体ユニットの形態で、例えば、適切に適合された操作ユニット３２として、提供されてもよい。そのような場合、通信インターフェース３３は、（以下に説明するように）別個の通信装置２０との無線通信相互作用を確立するように構成される。
【００１３】
図２にさらに示すように、制御装置４０は、別個の通信装置２０との無線通信接続を確立し、確立された無線通信接続を介して通信装置２０とのデータ（構成データおよび／または噴霧データ）通信を行うことができる。確立された無線通信接続は、Ｂｌｕｅｔｏｏｔｈ（登録商標）接続、近距離接続、ＷｉＦｉ接続などであってもよい。確立された無線通信接続を介して、制御装置４０と別個の通信装置２０との間のデータ通信が実行され得、制御装置４０が外部通信装置２０との間でデータを送信／受信し得る。以下でさらに説明するように、そのようなデータ転送は、例えば、噴霧データの転送と同様に、制御装置４０および／またはエアロゾルジェネレーター３１の適切な動作のための構成データの転送を、例えば、測定データおよび／または吸入データの形式で含み得る。
【００１４】
さらに、図２の通信装置２０は、カスタマイズされた通信ハブ、スマートフォン、タブレットなどのポータブル装置、またはカスタマイズされたアプリケーションプログラムを有するスマートウォッチまたは他のスマートウェアラブル装置などであってもよい。通信装置２０はまた、入力ユニットおよび／または表示ユニットのないカスタマイズされた通信ハブであってもよい。さらに、通信装置２０は、ネブライザー制御装置４０と通信装置２０（上述）との間の無線通信接続の確立をアクティブ化または非アクティブ化するために医療評価装置１０からの命令を受信することができる。通信装置２０自体は、エアロゾルネブライザー３０の吸入治療および／または動作が評価ユニット１１０によって行われる評価（後述する）に基づいて適切に調整されるように、例えば、クラウドサーバ（図示せず）を介して医療評価装置１０と接続して、制御装置４０にフィードバックを提供する。
【００１５】
図２によれば、治療プロトコルに対する遵守を評価するための医療評価装置１０は、通信ユニット１００と評価ユニット１１０とを含む。医療評価装置１０は、例えば、中央サーバであってもよいし、分散コンピュータネットワークであってもよい。
【００１６】
医療評価装置１０の通信ユニット１００は、通信装置２０との通信接続を確立するように構成されている。この通信接続は、例えば、クラウドサーバを介する無線接続、ＳＩＭカードの有無にかかわらない、ＧＳＭ（登録商標）モジュール、ＵＭＴＳモジュール、ＬＴＥモジュールなどの無線通信モジュールを使用する無線接続であってもよい。通信接続は、通信装置２０およびネブライザー制御装置４０を介して、評価ユニット１１０によって生成され得る第１構成データをエアロゾルネブライザー３０に提供するように構成することができる。ここで、第１構成データは、確立された治療プロトコルに従ってエアロゾルネブライザー３０を構成するためのデータである。例えば、第１構成データは、現在の日付、現在の時刻、最大噴霧持続時間、最大記憶可能記録数、自動データ転送のアクティブ化または非アクティブ化、および液体薬剤に使用可能な１つまたは複数の薬物の識別のうちの少なくとも１つを含むことができる。以下に説明するように、第１構成データは、実行される各データ転送が、好ましくは、識別値が所定の関連付け（ホワイトリスト）と一致するかどうかのチェックを含むので、制御装置４０の識別値も含むことができる。
【００１７】
通信装置２０と医療評価装置１０の通信ユニット１００との間の通信接続は、通信装置２０からのエアロゾルネブライザー３０の動作を示す噴霧データを受信するようにさらに提供されてもよい。噴霧データは、ユーザー／患者によるエアロゾルネブライザー３０の使用を示す吸入データをさらに含むことができる。例えば、噴霧データは、噴霧日付、噴霧時刻、噴霧持続時間、エアロゾルネブライザーのスイッチオフのための１つ以上の中断基準、ユーザーによる使用状態、リザーバ内の液体薬剤の充填レベル、ユーザーの吸入／吐出の流量／容量／時間特性、および液体薬剤に使用された、または使用される１つまたは複数の薬物のリストの少なくとも１つを含み得る。そのような噴霧データは、例えば、取得されたセンサー信号の適切な処理によって、エアロゾルネブライザー３０の操作ユニット３２によって適切に生成されてもよい。
【００１８】
さらに、医療評価装置１０の評価ユニット１１０は、ユーザーおよび／またはエアロゾルネブライザー３０の所定の治療プロトコルに対する遵守を評価するように構成することができる。この評価は、受信した噴霧データと所定の治療プロトコル内で定義されたそれぞれのデータ／パラメータとの比較に基づいてもよい。例えば、以下でさらに詳細に説明するように、治療プロトコルは、特定の医療薬物での吸入を効果的に行うために必要とされると考えられる期間を示す最小吸入時間パラメータを定義することができる。そのようなパラメータの他の例は、１日に実行すべき吸入回数であってもよい。したがって、評価ユニット１１０は、受信した噴霧データを所定の（ユーザー特有の）治療プロトコルに対して定義されたそれぞれの（保存された）パラメータに割り当て、その後、受信した噴霧データが必要とされるパラメータに一致するかどうかを評価するために比較を行う。例えば、ユーザー／患者が最小吸入時間パラメータによって規定されるように十分に長い吸入プロセスを行った場合、そのような一致が生じると、この吸入プロセスは妥当な吸入プロセスであると判定される。そうでなければ、すなわち、ユーザー／患者が、最小吸入時間パラメータによって規定されるようには十分に長くない吸入プロセスを実行した場合、この吸入プロセスは、無効な吸入プロセスであると判定される。
【００１９】
遵守を評価する際に上述した比較の結果として、評価ユニット１１０は、治療関連のフィードバックデータをさらに生成することができる。生成された治療関連のフィードバックデータは、確立された通信接続を介して通信ユニット１００によって通信装置２０に送信される。通信装置２０は、例えば、Ｂｌｕｅｔｏｏｔｈ（登録商標）接続、近距離接続、ＷｉＦｉ接続などの確立された無線通信接続を介して、制御装置４０に治療関連のフィードバックデータを転送する。
【００２０】
以下にさらに説明するように、治療関連のフィードバックデータは、ユーザー／患者が（例えば、ユーザーに設定されるパラメータの特定のセットに基づいて）規定された治療プロトコルに従わなかったことを視覚的におよび／または聴覚的にネブライザー制御装置４０において示すことができ、ユーザー／患者にエアロゾルネブライザー３０の使用を適切なように変更するように促す。
【００２１】
さらなる実施形態によれば、通信ユニット１００は、制御装置４０の識別値と通信装置２０の少なくとも１つの識別値との間の関連付け（ホワイトリストとも呼ばれる）を通信装置２０にさらに送信することができる。この関連付けは、医療評価装置１０での対応するユーザー入力に応じて通信ユニット１００または一般的な制御ユニット（図示せず）によって生成され、例えば、関連表などの形式で医療評価装置１０の記憶ユニット（図示せず）に格納されてもよい。図３ａは、制御装置４０の識別値と通信装置２０の識別値との間の関連付けの例を示しており、ここではＭＡＣアドレス４０ＭＡＣ、Ｂｌｕｅｔｏｏｔｈ（登録商標）名４０ＢＴ、および制御装置４０のシリアルナンバー４０ＳＮ、ＭＡＣアドレス２０ＭＡＣ、Ｂｌｕｅｔｏｏｔｈ（登録商標）名２０ＢＴ、および通信装置２０のシリアルナンバー２０ＳＮとを含む。そのような関連付けは、通信ユニット１００から通信装置２０に転送される。そのような転送は、例えば、通信装置２０からの要求に基づいて行われてもよい。そのような要求は、通信装置２０の識別値を含むことができ、それに基づいて医療評価装置は、関連表から対応する部分を抽出するように動作する。そのような転送された関連付けに基づいて、医療評価装置は、どの通信装置２０がどの制御装置４０と通信可能に接続されているかどうかについての外部制御を維持する。通信装置２０（例えば、Ｑｕａｌｃｏｍ  ２ｎｅｔ−Ｈｕｂ、Ｓｍａｒｔｐｈｏｎｅなど）は、医療評価装置１０の通信ユニット１００から関連付けを受信すると、その関連付けを内部記憶素子（図示せず）、例えば、ＥＥＰＲＯＭやメモリーカードなどに保存する。さらに、通信装置２０とネブライザー制御装置４０との間の無線通信接続の確立をアクティブ化するために医療評価装置１０から命令を受けると、通信装置２０の制御ユニット（図示せず）は、無線通信接続の有効な確立が許可されているかどうかを判定するために保存された関連付けを参照する。このように、医療評価装置は、無線通信接続の確立および／または維持がアクティブ化または非アクティブ化されるかどうかについての外部制御も維持する。
【００２２】
さらに図３ａに示すように、制御装置４０と通信装置２０との間の無線通信接続のタイプに応じて、関連付け（ホワイトリスト）をさらに生成することができる。例えば、この無線通信接続がＢｌｕｅｔｏｏｔｈ（登録商標）接続である場合、通信装置２０の識別値は、通信装置２０のＭＡＣアドレス、（Ｂｌｕｅｔｏｏｔｈ（登録商標）フレンドリ）名、およびシリアルナンバーのうちの少なくとも１つを含むことができる。同様に、制御装置４０の識別値は、上述したように、制御装置４０のＭＡＣアドレス、（Ｂｌｕｅｔｏｏｔｈ（登録商標）フレンドリ）名、およびシリアルナンバーの少なくとも１つを含むことができる。さらに、適切な識別値を定義し、ＷｉＦｉ接続、近距離接続などのための関連付けに格納することができる。関連付けはさらに、制御装置４０と通信装置２０との間の複数のタイプの無線通信接続のために生成され、送信されてもよい。結果として、異なるタイプの無線通信接続が制御装置４０と通信装置２０との間に確立されることが可能になり、制御装置は、Ｂｌｕｅｔｏｏｔｈ（登録商標）などの第１無線通信接続と近距離通信接続のような第２の無線通信接続とを絶えず切り替える。
【００２３】
この関連付け（ホワイトリスト）は、制御装置４０と通信装置２０の識別値の有効な組合せを定義し、これにより相互に無線通信接続を確立することを可能にする。制御装置４０と通信装置２０との間の無線通信接続の確立は、送信された関連付けによって許可／可能にされる。重要なのは、送信された関連付けにはいかなる個人データも含まれていないことである。個人データは、医療評価装置１０内の関連付けにのみリンクされる。例えば、関連付けは、例えば図３ｂに示されるような表内の対応するユーザー識別値と併せて医療評価装置１０に格納されてもよい。この設定に基づいて、医療評価装置１０は、関連データと共に受信された噴霧／吸入／測定データのユーザー／患者ＩＤへのローカルマッピング（マッチング）を実行する。したがって、治療プロトコルの遵守は、ユーザー特有の方法で評価され得るが、医療評価装置１０とネブライザー制御装置４０との間の通信装置２０を介するデータ転送には、いかなる個人データも含まれない。
【００２４】
さらなる実施形態によれば、通信ユニット１００は、通信装置２０とネブライザー制御装置４０との間の無線通信接続の確立をアクティブ化するための命令を通信装置２０に送信するようにさらに構成されてもよい。この起動は、送信された関連付け（ホワイトリスト）に基づいて無線通信接続の確立を開始することを意味する。同様に、通信ユニット１００は、通信装置２０にアクティブ化または非アクティブ化の命令を送信するように構成されてもよい。このような非アクティブ化の命令を受信すると、通信装置２０は、例えば、関連付けを取り除き、関連付けを非アクティブに設定することなどによって（例えば、対応するフラグ設定に基づいて）、通信装置２０とネブライザー制御装置４０との間の無線通信接続を非アクティブ化および／または無効化して応答する。このような無線通信接続の非アクティブ化／無効化は、治療プロトコルが終了したとき、エアロゾルネブライザー３０および／または通信装置２０を交換しなければならないときなどに実行することができる。したがって、医療評価装置１０は、通信装置２０とネブライザー制御装置４０との間の無線通信接続にわたって制御機能を提供することができる。
【００２５】
上記第１構成データは、エアロゾルネブライザー３０を動作させるためのデータおよび／または制御装置４０を動作させるためのデータであってもよく、医療評価装置１０から通信接続を介して通信装置２０に転送され、その後、確立された無線通信接続を介して制御装置４０に転送される。
【００２６】
一実施形態では、構成データは、制御装置４０の識別値、現在の日付、現在の時刻、最大噴霧持続時間、最大記憶可能記録数、自動データ転送のアクティブ化または非アクティブ化、および治療プロトコルに従って液体薬剤に使用可能な１つ以上の薬物の識別、の少なくとも１つを含む。制御装置４０の動作および／またはエアロゾルネブライザー３０の動作を、噴霧データを受信および評価する（吸入／測定データ）医療評価装置１０と時間的に同期させるために、現在の時間および日付の提供をすることができる。最大噴霧持続時間は、薬剤特有であって、エアロゾルジェネレーター３０が液体薬剤からエアロゾルを発生させることが許容／予想される最大時間を規定し、したがって、制御装置４０によってユーザー／患者に警告するために使用され、エアロゾルジェネレーターまたはエアロゾルネブライザーを適切に清掃または交換し、および／またはエアロゾルジェネレーター３０を適切にスイッチオフして、ユーザーからの矛盾するコマンドをキャンセルすることができる。ユーザーは、ディスプレイ４３０を介して、制御装置４０を介した許容最大／予想最大噴霧持続時間に達することおよび／またはそれを超えることにより、このようなスイッチオフが通知されてもよい。さらに、自動データ転送の非アクティブ化は、エアロゾル治療／吸入セッションの終了時に、通信装置２０への吸入／測定データ転送を非アクティブにするように制御装置４０に示すことができる。さらに、液体薬剤に使用可能な１つ以上の薬物の識別は、ディスプレイ４３０を介してユーザーに通知されてもよい。さらに、最大記憶可能記録数は、制御装置４０に格納可能なデータ記録またはデータセットの最大数を示す。データ記録またはデータセットは、例えば、エアロゾル治療プロトコルの単一のセッションに関連する全てのデータを含む。ここでは、最大記憶可能記録数は通常一定であるが、ソフトウェアおよび／またはハードウェアの更新に従って変更されてもよい。最大記憶可能記録数は、格納されたデータ記録を転送するために無線通信接続が確立されるべきであることを示すために、ユーザーに視覚的および／または可聴的な警告をタイムリーに発行するために、制御装置４０において使用され得る。このような警告は、所定の数のデータ記録、例えば、エアロゾル治療プロトコルの各セッションの９０データ記録が記憶され、最大記憶可能記録数が１００であるときに発行されてもよい。
【００２７】
上述の噴霧データは、噴霧日付、噴霧時刻、噴霧持続時間、エアロゾルネブライザーのスイッチオフのための１つ以上の中断基準、ユーザー／患者による使用状況、リザーバ内の液体薬剤の充填レベル、ユーザー／患者の吸入／吐出の流量／容量／時間特性、および液体薬剤に使用されたまたは使用される１つまたは複数の薬物のリストの少なくとも１つを含むことができる。
【００２８】
特に、ユーザー／患者による使用状態は、ユーザー／患者が実際に液体薬剤を含むエアロゾルを吸入するかどうかを検出するように適切に構成された、エアロゾルネブライザー３０においておよび／またはエアロゾルネブライザー３０と接続して、１つまたは複数のセンサーの提供に基づいて検出され得る。したがって、この検出は、生成されたエアロゾルが、ユーザー／患者によって吸入されることなくエアロゾルネブライザーから単に吐出される状況と区別することができる。そのような状況の検出は記録され、誤った吸入として医療評価装置に伝達される。実際の吸入を検出するためのセンサーは、例えば、熱線流速計、熱膜流速計または気圧計などの流量センサーとすることができる。さらに、このような検出は、マイクロフォンを用いることによって、またはエアロゾルネブライザーの患者インターフェース３５に検出装置を設けてユーザー／患者との接触を検出することによって、および／またはエアロゾルネブライザーの混合チャンバー内のエアロゾル（例えば、密度）の存在および特徴を検出することによって行われ得る。検出装置および／または流量センサーは、異なる物理的技術に基づく。例えば、（例えば、光、発光ダイオード（ＬＥＤ）、レーザー、フォトダイオードを使用することによる）光検出、磁気検出、（例えば、マイクロフォンまたは拡声器と組み合わせてマイクロフォンを使用することによる）音響検出、（例えば、差圧センサーを使用する）圧力検出、（例えば、ダイナモ電気効果を使用すること、またはピエゾ電気素子を使用することによる）電気的検出、（例えば、熱変数を測定することによる）熱検出、および視覚的観察（例えば、ローターメーターによる）に基づき得る。あらゆる種類の実用可能なセンサー技術が適用可能であり、光学的、ピエゾ電気、音響的、熱膜流速計および／または圧力検出を用いるセンサー技術が好ましいが、堅牢で再現性のある動作特性を示す。例えば、吐出および吸入サイクルを検出するために、−１００ｌ／ｍｉｎ〜１００ｌ／ｍｉｎの流量範囲、好ましくは−６０ｌ／ｍｉｎ〜６０ｌ／ｍｉｎの範囲、より好ましくは−３０ｌ／ｍｉｎ〜３０ｌ／ｍｉｎの範囲である。
【００２９】
更なる構成では、ゼロ（０ｌ／ｍｉｎ）〜１００ｌ／ｍｉｎの流量範囲、好ましくは６０ｌ／分までの範囲、より好ましくは３０ｌ／分までの範囲のような他の流量範囲を使用することができる。さらに別の構成では、吸入サイクルを少なくとも検出するために、５ｌ／ｍｉｎ〜１００ｌ／ｍｉｎの流量範囲、好ましくは５ｌ／ｍｉｎ〜６０ｌ／ｍｉｎの範囲、より好ましくは５ｌ／ｍｉｎ〜３０ｌ／ｍｉｎの範囲のような流入範囲を使用することができる。
【００３０】
噴霧データは、例えば、エアロゾルジェネレーターおよびエアロゾルネブライザー３０の動作を監視する制御装置４０によって生成されてもよい。ここで、スイッチオフの理由は、ユーザーによる手動スイッチオフ、動作の最大持続時間（例えば、最大噴霧持続時間）に達することによる強制的なスイッチオフ、適切な量の液体薬剤の不足などである。ここで、ユーザーのユーザー接触または吸入操作の不在（吸入／吐出の流量、容量または時間特性）と同様、例えば、超過した最大噴霧持続時間、流体リザーバ内の液体の不在、限界以下の液体リザーバ内の液量または液面レベル、のようなスイッチオフのための所定の理由は、制御装置４０に提供されてもよい。あるいは、ユーザーは、制御装置４０の操作ユニット３２を介して、スイッチオフの理由を入力してもよい。
【００３１】
例えば、エアロゾルネブライザー３０のユーザーによる使用状態は、エアロゾルネブライザー３０に含まれるセンサー（図示せず）によって検出されてもよい。センサー（図示せず）は、混合チャンバー３４、吸入／吐出バルブ、および／またはエアロゾルジェネレーター３１を含む、患者インターフェース３５に含まれてもよいし、患者インターフェース３５に取り付けられてもよい。センサーは、ユーザー／患者が実際にネブライザー３０を使用しているかどうかを評価する目的で、通信を介して制御装置４０に信号を送る。例えば、エアロゾル治療の間に、ユーザー／患者は、（接触センサーによって測定された）患者インターフェースと接触しているか、（例えば、フローセンサーまたは密度センサーによって測定される）混合チャンバーまたは患者インターフェースを通じて吸入しているか、（例えば、流量センサーによって測定される）装置を通じて吸入流を生成し、それにより、医療評価装置１０において通信され評価され得る１つ以上の対応するセンサー信号が生成される。
【００３２】
さらなる実施形態では、医療評価装置１０の通信ユニット１００における噴霧データの上述の受信は、通信装置２０の識別およびネブライザー制御装置４０の識別を追加的に受信することに関連し得る。言い換えれば、通信装置は、通信装置２０とネブライザー制御装置４０の両方を識別するデータで噴霧データを補う。任意の個人データを特定しない追加の装置識別データは、単一の通信メッセージ、例えばそのペイロードに含まれてもよい。このように、噴霧データの関連する識別は、装置識別データによってのみ行われる。識別データと併せて噴霧データの受信に応じて、受信した識別データが、制御装置４０と通信装置２０との識別値の有効な組合せとして記録されているか否かを確認するために、医療評価装置１０の評価ユニット１１０は、医療評価装置１０の記憶ユニット（図示せず）に記憶されている上記の関連付け（ホワイトリスト）を参照してもよい。受信した識別データが、医療評価装置の記録ユニットに格納された制御装置４０と通信装置２０の識別値の有効な組み合わせと一致する場合、評価ユニット１１０は、噴霧データの評価に進む。
【００３３】
受信された通信装置２０の識別値および受信されたネブライザー制御装置４０の識別値は、受信した識別ペアを定義し、この受信した識別ペアが上記の関連付け（ホワイトリスト）の識別ペアと一致する場合にのみ、受信された噴霧データは治療プロトコルに対する遵守を決定するために評価が開始される。さもなければ、受信された噴霧データは無視され、したがって、評価ユニット１１０によって廃棄されるか、さもなければキャンセルされ得る。さらに、受信した噴霧データは、受信した識別ペアとともに、個人データへのリンクなしで医療評価装置の記録ユニット（図示せず）に格納することができる。関連する識別は、例えば、治療関連のフィードバックデータを提供する目的で、上記の関連付け（ホワイトリスト）の識別ペアに基づいて実行されてもよい。
【００３４】
図４は、さらなる実施形態による医療評価装置１０を示す。図１の医療評価装置１０に加えて、医療評価装置１０は、暗号化／復号化ユニット１２０を含む。ここで、暗号化／復号化ユニット１２０は、通信装置２０との確立された通信接続を介した転送が行われる前に、上記構成データの暗号化処理を行う。同様に、暗号化／復号化ユニット１２０は、ネブライザー制御装置４０によって暗号化されてもよい受信された噴霧データに対して復号化処理を実行する。ここで、暗号化／復号化処理は、医療評価装置１０およびネブライザー制御装置４０には知られているが、通信装置２０には未知のままである暗号化／復号化キー（例えば、Ａｄｖａｎｃｅｄ  Ｅｎｃｒｙｐｔｉｏｎ  Ｓｔａｎｄａｒｄ：ＡＥＳ  １２８  Ｂｉｔのようなアルゴリズム）を使用することによって実行することができる。
【００３５】
さらなる実施形態によれば、評価ユニット１１０は、治療プロトコルの定義された期間（例えば、複数日間）の毎日の遵守率および／または累積遵守率を計算することができる。ここで、遵守率は、以下の式（１）に基づいて算出してもよい。
【数１】
2019504696.tif 000003
ここで、ＮＩＶは、規定された必要最小吸入時間に達するとき、例えば、ＮＩＴが所定の治療プロトコルに従って定義されたときの有効吸入回数、すなわち吸入セッション数であり、ｎは、定義された期間の日数である。ここで、１日当たりの吸入セッション数および１回の有効な吸入の最小値は、薬物特有のもの、ユーザー特有のもの、または試験特有のもの（臨床試験用）であってもよい。上記の式（１）に基づいて、累積遵守率は、治療プロトコルの選択された期間内の各治療日の毎日の遵守率の合計と選択された期間の合計日数との間の比率を指す。上記の式（１）に基づいて、毎日の遵守率は、ｎ＝１についての遵守率を考慮することによって決定され得る。
【００３６】
ここで、医療評価装置１０によって受信された噴霧データは、それぞれの噴霧／吸入開始日／時間、噴霧／吸入終了日／時間、およびエアロゾルネブライザー３０の連続的な動作のための噴霧持続時間を含むことができる。受信した噴霧データに基づいて、評価ユニット１１０は、治療プロトコルについて定義された最小吸入持続時間に、エアロゾルネブライザー３０の連続的な動作が、それぞれ達したかどうか、すなわち、液体薬剤の噴霧／吸入が必要最小吸入持続時間に、実際に行われるかどうか、をさらに決定することができる。
【００３７】
評価ユニット１１０が、エアロゾルネブライザー３０の個々の噴霧／吸入動作のために必要最小吸入持続時間に達したと判定した場合、この噴霧／吸入動作は有効であると判定され、それに応じて治療プロトコルが遵守される。対照的に、エアロゾルネブライザー３０の個々の噴霧／吸入動作のために必要な最小吸入持続時間に達しない場合、この噴霧／吸入動作は無効であると判定される。さらに、制御装置４０およびエアロゾルネブライザー３０が洗浄モードに関連して使用される場合、この洗浄モードに関連し、洗浄モードの成功、失敗、および／または進行を示すデータは、噴霧データから分離され、規定された治療プロトコルに対する遵守を決定するために使用されない。
【００３８】
定義された期間のための計算された毎日の遵守率、および／または累積遵守率は、図２または図４に示すように、医療評価装置１０の表示ユニット１３０に表示されてもよい。例えば、ユーザー（臨床試験担当者、医師、医者など）は、ウェブインターフェースを使用して噴霧データおよび計算された遵守データにアクセスし、データ、例えば、すべての吸入記録の表表示、すべての吸入記録のグラフ表示、および／または遵守報告（後で説明する）を視認することができる。そのような遵守報告は、医療評価装置に局所的に記憶されてもよく、または外部装置に書き出されてもよい。そのような報告は、対応する期間、患者識別、試験番号、および／または治療プロトコルの定義された期間にわたっての日毎／累積遵守率のグラフ表示のいずれかを含み得る。
【００３９】
例えば、臨床試験において医療評価装置が使用される場合、複数のユーザー／患者に対して所定の治療プロトコル（治療レジメン）が定義され、医療評価装置は、複数のエアロゾルネブライザーからの噴霧データを受信するために、および複数のユーザー／患者のための治療プロトコルに対する遵守を評価するために使用することができる。他方、医療評価装置が個々のユーザー／患者の遵守を決定するために使用される場合、所定の治療プロトコルが各ユーザー／患者に対して個別に提供され、遵守率は個々のユーザー／患者基準で計算され得る。このように、上記の報告は、個々のユーザー／患者または定義されたユーザーグループ、例えば、臨床試験に参加するユーザー／患者のグループのために作成され得る。
【００４０】
図５〜図７は、生成された遵守報告のさらなる例を示す。
【００４１】
図５に示すように、個々の吸入報告は、吸入のそれぞれの開始日／時間および対応する終了日／時間を含むことができ、これらに基づいて、それぞれの吸入持続時間が、医療評価装置で決定されるか、または医療評価装置によって受信された噴霧データに含まれる。さらに、この報告は、吸入日、吸入の状態、およびスイッチオフの理由を示すことができる。さらに、図６の例に示すように、個々の吸入報告は、日付横軸にわたって、それぞれの吸入回数（または、吸入の日付および／または時間、または１日当たりの吸入の合計）および吸入持続縦軸に各吸入の持続時間をグラフで表示してもよい。さらに、個々の吸入は、複数のスイッチオフ基準（例えば、カラーコードなどを介して）に関して区別することができる。さらに、図７の例に示すように、遵守報告は、治療日横軸にわたって、１日当たりの個々の遵守および累積遵守をグラフで表示してもよい。示されているように、日ごとの遵守は、０％〜約１００％の間、例えば５０％〜１００％の間で変動する可能性があり、したがって、累積遵守はそれに応じて変化する（すなわち増減する）。図７の例では、累積遵守は、２８日目に８６％の最終遵守に達する。ここで、報告に含めることができる関連情報は、対応する期間、患者番号、試験番号、日毎／累積遵守率のグラフ表示、および選択された期間のための計算された累積遵守率の明示的提示のうちの少なくとも１つであることができる。更なる例（図示せず）では、累積遵守は、例えば、１２０％、１３０％、１５０％、またはさらには２００％のように１００％を超える値で報告されてもよく、この偏差は監視され、および／または患者／看護師／医師／サービスセンターは、過量投与を予防し相互に変更することができる。
【００４２】
別の実施形態では、医療評価装置１０の評価ユニット１１０は、毎日の遵守率および／または累積遵守率が治療プロトコルで定義されたそれぞれのパラメータと一致しない場合、治療関連のフィードバックデータを生成するようにさらに構成されてもよい。例えば、測定され算出された毎日および／または累積遵守率が、個々のユーザーまたはユーザーグループの治療プロトコル（例えば、臨床試験の場合）に対して規定されているそれぞれの遵守率よりも低い場合、または必要最小吸入持続時間に達していない場合、対応する治療関連のフィードバックデータが評価ユニット１１０によって生成され、その後確立された通信接続を介してネブライザー制御装置４０に送信される。ネブライザー制御装置４０は、さらに、受信した治療関連のフィードバックデータを処理して、ネブライザー制御装置４０で命令を生成するように構成することができる。この命令は、信号がユーザーに遵守が達成されていないことを示すように、および／または必要最小限の噴霧／吸入持続時間に達していないことを示すように、ネブライザー制御装置４０においてディスプレイ４３０および／またはブザー／スピーカー（図示せず）を介して提供される可聴および／または可視信号の形態であってもよい。生成されたフィードバックデータはまた、改善された治療評価のための追加の噴霧データを生成するために、または特定の噴霧データがもはや必要ではない場合に上記のセンサーのいずれかをスイッチオフするために、エアロゾルネブライザーの構成を変更し、および／または上述のセンサーのいずれかを選択的に動作させる。
【００４３】
さらなる実施形態では、医療評価装置１０の評価ユニット１１０は、所定の治療プロトコルに対する遵守を薬物特異的に評価するようにさらに構成されてもよい。特に、治療プロトコルが定義される関連期間、所定の日ごとの吸入セッション数、および／または１回の有効な吸入の必要最小持続時間は、特定の薬物製剤、すなわち、液体薬剤のタイプおよび／または必要量基づいて規定される。これは、ユーザーの、薬物特異的治療の遵守についての適切なフィードバックを提供する際の医療評価装置１０の使いやすさおよび柔軟性を高める。
【００４４】
さらに、エアロゾルネブライザー（または吸入装置）３０および評価ユニット１１０は、異なる呼吸値および／または非呼吸値を評価することができ、これらの値は、以下の値（パラメータまたは変数）を含むがこれに限定されない。
【００４５】
エアロゾルネブライザー（または吸入装置）は、例えば、ネブライザー、ジェットネブライザー、膜ネブライザー、超音波ネブライザー、電子ネブライザー、電子膜ネブライザー、乾燥粉末吸入器（ＤＰＩ）、定量吸入器（ＭＤＩ）と同様、ネブライザー制御装置４０（例えば、ｅＢａｓｅ（登録商標）またはｅＴｒａｃｋ（登録商標）制御装置４０）付きのＰＡＲＩ製のｅＦｌｏｗのような制御装置４０（コントローラー）を備える振動する膜ネブライザーであり得る。医療評価装置１０は、例えば、エアロゾルネブライザー、およびアドオン装置の形態の少なくとも１つのセンサー、および／またはコントローラ（すなわち、ネブライザー制御装置４０）および／またはエアロゾルネブライザーに含まれる少なくとも１つのセンサーであってもよい。
【００４６】
非呼吸値（パラメータまたは変数）は、（研究の）タイプ、ヘッダー（例えば、６文字（数字を含む））、研究名、患者番号、研究期間、治療日数、状態、報告の開始、報告の終了、吸入開始日、吸入終了日、薬剤ＩＤ、日ごとの治療、薬剤名、延長試験ＩＤ、装置シリアルナンバー、Ｂｌｕｅｔｏｏｔｈ（登録商標）ネットワークＩＤ、現在の現地時間、現在の現地日付、アクティブ化時間、非アクティブ化時間、最小治療持続期間、最小吸入持続期間、最大治療持続期間、最大噴霧持続期間などを含むが、これらに限定されない。
【００４７】
呼吸値は、吸入日、吸入時間、吸入持続期間、吸入流量、吸入容量、最小治療期間、最小吸入持続期間、最大治療持続期間、最大噴霧期間、肺活量値を含むが、これらに限定されない。すべての値（呼吸および非呼吸値）は、名目値、目標値、名目範囲、目標範囲などとして表現できる。さらに、提供されたセンサーデータに基づいて、１回呼吸量、吸入／吐出率、吸入休止および他の吸入特性が、評価ユニット１１０によって考慮され得る。
【００４８】
評価に基づいて、治療関連のフィードバックデータは、動作周波数、エアロゾルジェネレーターの出力などの構成パラメータの変更、または、センサー動作パラメータに関しては、流体存在センサーの目標値などの構成パラメータの変更を含むこともできる。
【００４９】
図８は、医療評価装置の別の実施形態を示す。図２または図４に示された実施形態と比較して、医療評価装置はさらに（通信装置２０を介して）追加の診断装置５０と通信し、追加の診断装置５０を制御する。この診断装置５０は、呼吸器系の状態および／またはユーザー／患者の肺の状態および／または機能を監視する装置であってもよい。そのような診断装置５０の一例は、ユーザー／患者の肺によって吸入／吐出される空気量を測定することができる肺活量計である。さらに、肺活量計は呼吸、すなわち肺の内外への空気の動きを測定することができる。知られているように、例えば、圧力トランスデューサー、超音波トランスミッターなどの様々な種類の測定方法を使用する様々なタイプの肺活量計がある。代替的または追加的に、診断装置５０は、非呼吸パラメータ（すなわち、全身のパラメータ）を取得するための装置であってもよい。
【００５０】
ここで、医療評価装置１０は、さらに、診断装置５０を追加的に使用して患者の呼吸器系の状態および／または肺の状態および／または機能を監視する場合に、所定の治療プロトコルに対する遵守を評価するように適合されてもよい。ここで、診断装置５０は、所定の治療プロトコルに従って使用することもできる。例えば、治療プロトコルは、診断装置５０を用いた診断を実施すべき時点を示すことができる。このような所定の設定の例は、治療プロトコルで定義された期間中の特定の日付および／または時間であってもよく、定義された回数の吸入の後、例えば５回の吸入の後などに、それぞれ診断を行う。
【００５１】
さらに、医療評価装置１０は、診断装置５０の第２構成データを生成するように構成されてもよい。第２構成データは、診断装置５０の動作を適切に設定および制御するためのデータである。診断装置５０の動作は、上述したように、所定の治療プロトコルに従って第２構成データによってさらに設定することができる。
【００５２】
例えば、第２構成データは、呼吸値および追加の非呼吸値（例えば、心拍数、血圧、酸素飽和度などの全身値）の少なくとも１つを含むことができる。特に、呼吸値は、呼吸データ、特に呼吸周波数、吐出または吸入流量、または吸入容量の少なくとも１つを含むことができる。さらに、第２構成データは、（例えば、肺活量計などの）診断装置の適切な使用（「使用支援」）および／または適切な診断データに関する視覚的／光学的フィードバック表示に関する閾値を含むことができる。例えば、診断装置における赤色／黄色／緑色のフィードバック命令が提供されてもよい。それぞれの閾値（名目値、目標値）は、治療プロトコルに基づいて、例えば、医療評価装置において（のみ）提供／記憶されているが、本発明のコンセプトに従って転送されていない個人データに基づいて、医療評価装置によって適切に設定することができる。このような（ユーザー特有の）名目値は、所定の期間内の多くの診断測定値を示すことができる（例えば、１週間あたり１回の肺活量測定を行うために、そうでなければ評価ユニットによって督促メッセージまたは警告メッセージが引き金とされる）。さらに、適切な閾値の設定および／または適切な診断データの選択（例えば、一連のＡ、Ｂ、Ｃなどの特定の一連の、肺活量計のような診断装置に関して）は、例えば、データベースに定義された対応する設定に基づいて、自動的に実行されてもよく、または医師によって提供される。このように、評価ユニット１１０は、診断関連フィードバックデータを生成し、これを診断装置５０に転送する。
【００５３】
医療評価装置１０の通信ユニット１００は、医療評価装置１０と通信装置２０との間で確立された通信接続（上述）を利用することによって、および通信装置２０と診断装置５０のための制御装置（図示せず）との間の第２無線通信接続を使用することによって、生成した第２構成データを、通信装置２０を介して診断装置５０に送信してもよい。この第２通信接続は、エアロゾルネブライザー３０のための通信装置２０と制御装置４０との間の上述した無線通信接続と同じ方法で確立される。さらに、医療評価装置１０の通信ユニット１００は、医療評価装置１０と通信装置２０との間で確立された通信接続を介して診断装置５０によって取得された診断データ（呼吸値および／または非呼吸値）を受信してもよい。ここで、診断データは、患者の呼吸器系の状態および／または肺の状態または機能を示すことができる。加えて、または代替的に、診断データは、例えば、噴霧された液体薬剤の吸入中、または噴霧された液体薬剤の吸入後の特定の時点で、ユーザー／患者の心拍数、血圧、および／または酸素飽和度を示すことができる。さらに、診断データは、例えば、バイタル容量（ＶＣ）、強制バイタル容量（ＦＶＣ）、総肺容量（ＴＬＣ）、総容量（ＴＣ）、吸入容量（ＦＶＣ）、１回呼吸量（ＴＶ，  ｏｒ  ＡＺＶ）、１秒における強制吐出量（ＦＥＶ１）、１秒における相対容量（ＦＥＶ１／ＦＶＣ）、５０％ＦＶＣによる最大吐出流量（ＦＥＦ５０）、７５％ＦＶＣによる最大吐出流量（ＦＥＦ７５）、最大吐出圧力（ＭＥＰ）、ピーク流（ＰＥＦ）、「Ｚ−スコア」＝（ｙ−Ｙ）／ＲＳＤ、すなわち、観測値（ｙ）と予測値（Ｙ）の差を、評価アシスタントとして使用された平均予測値、測定履歴、または評価または評価としての測定値の変化として使用された平均予測値についての残留標準偏差（ＲＳＤ）で除算した値、の少なくとも１つに関する肺活量測定値を含むことができる。疾患の進行および／または患者遵守／受容（最良の場合には悪化の予測）に関するインテリジェントな予測と同様に、疾患の悪化または改善の指標として、例えば、酸素飽和度（Ｏ２）、パルス、体温、炎症値／マーカー（すなわち、白血球とも呼ばれる白血球細胞（ＷＢＣ）、Ｃ−反応性タンパク質−ＣＲＰ、α１−酸性糖タンパク質、ハプトグロビン、コエロロプラスミンおよびフィブリノゲン、ならびにインターロイキン−ＩＬ、すなわち、ＩＬ１からＩＬ３１まで、すなわち、肝臓のためのＩＬ６、ならびに喘息のためのＩＬ４、ＩＬ５、ＩＬ９およびＩＬ１３、および治療処置のためのそれらの抗ブロッカー）、咳モニター値（すなわち、咳の頻度）、および／または吐出値（例えば、悪化カウンター／マーカー、および／またはガス値、例えば、酸素−Ｏ２、画分吐出酸化窒素−「ＦＥＮＯ」、窒素酸化物−「ＮＯｘ」、二酸化炭素−「ＣＯ２」、インターロイキン−「ＩＬ」（上記参照）、および／または不活性ガス画分（すなわち、ヘリウム［Ｈｅ］、ネオン［Ｎｅ］、アルゴン［Ａｒ］、クリプトン［Ｋｒ］、キセノン［Ｘｅ］、および放射性ラドン［Ｒｎ］））がある。
【００５４】
ＦＥＶ１、炎症値／マーカー範囲（値＜２６  ｐｐｂ  ［ｐａｒｔｓ  ｐｅｒ  ｂｉｌｌｉｏｎ］＝健康）などのより多くの値およびパラメータは、Ａｍｅｒｉｃａｎ  Ｔｈｏｒａｘ  Ｓｏｃｉｅｔｙ（ＡＴＳ）およびＥｕｒｏｐｅａｎ  Ｒｅｓｐｉｒａｔｏｒｙ  Ｓｏｃｉｅｔｙ（ＥＲＳ）によって定義されている。
【００５５】
上記の値の１つまたは組み合わせは、予測パラメータ範囲について評価ユニット１１０によって使用され、治療関連のフィードバックデータに基づいて、これは、ユーザーまたは患者への光学的または音響信号として示される。例えば、緑色、黄色、赤色の光信号の組み合わせは、緑色−最適吸入条件、黄色−限定付吸入条件（最適ではないが許容できる）、赤色−非許容吸入条件のような、正確な吸入の目盛（流量、時間および／または容量）を示すために使用され得る。
【００５６】
治療に関連したフィードバックデータのために、広範囲の情報は、測定、適用、吸入および／またはネブライザー装置および診断装置の使用の、パーソナルベスト値について提供することもでき、家庭用途、診療所用途、病院用途、１つまたは複数のネブライザー／診断装置の使用に関して差別化できる。これは、噴霧／診断が行われている場所を監視するための追跡機能を備える噴霧装置および／または診断装置を提供することによって達成され得る。
【００５７】
膜ネブライザーと共に使用される流体存在センサーについては、膜材料変更および／または設計変更および／または製造プロセスの変更と同様に、操作中の膜の閾値、周波数および電力消費のような、１つまたは複数の異なる薬物製剤に関するそれぞれ特別な値およびパラメータが、使用され、転送され、適合され得る。
【００５８】
さらに、医療評価装置１０の入力として、例えば、スマートフォン、タブレット、眼鏡（例えば、グーグルグラス）、スマートウォッチ、リストバンド装置（例えば、Ｇｏｏｇｌｅ、Ａｐｐｌｅ、Ｇａｒｍｉｎ）または他のスマートウェアラブル装置を介して、ユーザー／患者の摂食行動、移動行動、および／またはスポーツ／運動行動を追跡または測定することができる。
【００５９】
さらに、医療評価装置１０は、例えば、異なるユーザーまたは患者グループによるプライベート使用のための基準値に関して、１つまたは複数のデータベースを使用またはそれにアクセスすることができる。これらのデータベース（例えば、ＩＢＭ  ＷａｔｓｏｎまたはＡｐｐｌｅ  Ｈｅａｌｔｈのような医師、病院および匿名データバンク）は、疾患、年齢層、性別、民族集団などに関する情報データ（値またはパラメータ）を含み得る。
【００６０】
さらに、医療評価装置１０は、制御装置４０および／または診断装置５０において、督促機能および／または更新機能および／またはカレンダー機能を実施するために、確立された通信およびデータ転送機能を使用することができる。これは、アプリケーション、治療、測定および／または診断（例えば、治療プロトコル、すなわち、日ごとの吸入数および時間または詳細なスケジュール、肺活量計の測定間隔など）、構成要素の交換の必要性（例えば、エアロゾルネブライザーの変更、エアロゾルジェネレーターまたは他の交換品の変更）、洗浄および／または消毒間隔、サービスの必要性（例えば、センサー較正値のドリフト、例えば、＋／−３％センサー変動）、サービスコンタクト情報、オプションの特徴、ソフトウェア更新、新しいソフトウェアの特徴、使用説明書の更新、および／または医師と調整された治療計画と同様に、温度、湿度、および／または圧力のような環境条件、のための督促または更新としてユーザーまたは患者のために使用される。これらの督促機能および／または更新機能および／またはカレンダー機能は、例えば、ディスプレイ、ライトインジケーター（例えば、ＬＥＤ）、ブザー、スピーカーだけではなく、外部のスマートフォン、タブレット、ノートパソコンおよび／またはコンピュータ（例えば、アプリケーション、プログラム、ウェブポータル、プッシュノート、Ｅメール、ＳＭＳ、ＭＭＳ、ＷｈａｔｓＡｐｐなど）を介して、光学的にまたは音響的に表示される。
【００６１】
すべての値、パラメータおよび範囲は、通信装置２０との通信接続を確立するように構成された通信ユニット１００を用いて医療評価装置１０を介して適合させることができる。これらの変化は、光学的または音響的に、例えば、ディスプレイ、ライトインジケーター（例えば、ＬＥＤ）、ブザー、スピーカー、スマートフォン、タブレット、ノートパソコンおよび／またはコンピュータを介して、ディスプレイ上に表示することができる。これらの「インテリジェントな」装置はまた、医療評価装置１０のアプリケーション、治療、測定および／または診断のアニメーション（「ゲーミフィケーション（ｇａｍｉｆｉｃａｔｉｏｎ）」）のために使用されてもよい。
【００６２】
上記に基づいて、評価ユニット１１０は、治療プロトコルを適合させるために、受信した診断データをさらに使用することができる。受信した診断データの追加の提供および使用に基づいて、吸入治療の有効性は潜在的にリアルタイムで判定および修正することができる。さらに、所定の吸入治療に対するユーザー／患者の拒絶反応または所定の吸入治療の有効／無効がリアルタイムで判定され、治療プロトコルは適切に修正される。治療プロトコルのそのような修正は、上述の治療関連のフィードバックデータの提供によって、および／または修正された第１構成データを制御装置４０に送信することによって達成され得る。ここで、訂正された第１構成データは、同時診断により適合された構成データである。例えば、診断データおよび噴霧データの同時評価に基づいて、第１構成データを生成し、ネブライザー制御装置４０に送信して、ディスプレイ４３０を介して患者に治療または診断を促し、ユーザー／患者が呼患者の吸器系の状態および／または肺の状態の診断を行うまで、エアロゾルの生成を抑制または中断するようにエアロゾルネブライザーに命令する。
【００６３】
さらに、パーソナルベスト値は、評価ユニット１１０によって、噴霧データの評価と診断データの評価の両方に関して決定されてもよい。そのようなパーソナルベスト値は、エアロゾルネブライザーおよび／または診断装置の使用が家庭または診療所で行われるかどうかに関して決定されてもよい。好ましくは、家庭または診療所におけるエアロゾルネブライザーおよび／または診断装置の使用は、エアロゾルネブライザーと診断装置との固有の組み合わせを特定の通信装置と定義した、定義された関連付け（ホワイトリスト）に基づいて決定される（装置が使用されている場所を特定する）。
【００６４】
フィードバックデータ（治療関連および／または診断関連）は、装置動作に関するサービスデータをさらに含むことができる。例えば、サービスデータは、センサーの有効性および／または有用性（これにより、更新が要求される）に関する命令を含むことができる。さらに、フィードバックデータは、診断装置またはエアロゾルネブライザーにおいて予測的なメンテナンス動作の引き金となることができる。例えば、このような予測的なメンテナンス動作は、それぞれの装置の現在の消費電力を決定することができる。さらに、フィードバックデータ（例えば、ディスプレイを介したビジュアルフィードバック、潜在的にはさらなるエアロゾル発生の遮断および／または診断装置のさらなる動作などと組み合わせたビジュアルフィードバック）は、それぞれの装置のタイムリーなクリーニングの引き金になることができる。さらに、フィードバックデータは、上述のセンサーの自己較正の引き金になることができ、それに基づいて、評価ユニット１１０は、センサー偏差が許容限界を超えているかどうかを判定する。そのような評価が、偏差が大きすぎることを示す場合、さらなるフィードバックメッセージは、ユーザーにサービスを通知／確認することを要求することができる。さらに、医療評価装置１０からのフィードバックデータは、制御装置４０、エアロゾルネブライザー３０、および／または診断装置５０への機能更新（ファームウェア更新など）を命令するプッシュメッセージを促すことができる。そのようなプッシュメッセージに基づいて、個々の装置が更新（サービス更新の成功／失敗を示す医療評価装置１０に対する状態フィードバックを含む）を直接実行するための引き金となることができる。例えば、そのようなサービス更新は、例えば、エアロゾルジェネレーターの新しい／修正されたバージョン、または流体存在センサーのための新しい／修正された目標値のような新しいセンサー動作パラメータに適応するための新しい構成パラメータを含むことができる。
【００６５】
さらに、モバイル装置上で動作するアプリケーションソフトウェア（「モバイルアプリケーション」）は、医療評価装置１０へのアクセスを備えてもよく、医療評価装置１０と診断装置５０、ネブライザー制御装置４０、およびエアロゾルネブライザー３０との間で転送された対応するデータ、評価結果などを回収することができる。そのようなアプリケーションソフトウェアは、ＡｐｐｌｅなどによるＨｅａｌｔｈＫｉｔのような、より大きな健康管理関連アプリケーションソフトウェアに統合されてもよい。
【００６６】
以下は、医療評価装置１０で提供される、例えば、肺活量計に関する個人データおよび構成データの追加の例を提供する。
【００６７】
個人データ：
・氏名：Ｍｕｓｔｅｒｍａｎｎ，  Ｍａｎｆｒｅｄ
・性別：男性
・生年月日／年齢：１９７８年８月１日／３７歳
・身長：１８３ｃｍ
・患者ＩＤ：Ａ１２３ｆ４
・体重：７２ｋｇ
・注意  患者は正しい吸入訓練を行うための集中的なサポートが必要
・割当装置：ｍｙＳｐｉｒｏＳｅｎｓｅ  ７１９
【００６８】
構成データ：
・装置ＩＤ：７１９
・測定ユニットＩＤ：５８５
・装置タイプ：ｍｙＳｐｉｒｏＳｅｎｓｅ（肺活量計）
・ファームウェアバージョン：１．０．１７
・ハードウェアバージョン：１．０．２
・最終較正：０９．１０．２０１５
・較正有効：０８．１０．２０１６
・（参照）モード：ＦＥＶｌ
・タイプ１：カスタム（すなわち、医師によって設定、（他にはパーソナルベスト、基準値）
・標的値１：４，５９  Ｌ
・計測数：３５
【００６９】
別の実施形態によれば、コンピュータプログラムが提供され、コンピュータプログラムは、１つまたは複数のデータプロセッサ上で実行されると、データプロセッサまたは複数のデータプロセッサに上述のような医療評価装置１０を実行させる命令を含む。
【００７０】
したがって、医療評価装置１０の上記の各モジュール／ユニットは、コンピュータプログラムによって定義され、メインメモリに記憶される命令を解釈し実行する１つまたは複数の処理装置、マイクロプロセッサまたは他の処理ロジックを含むそれぞれの処理ユニット（ＣＰＵ）によって、実行される。メインメモリは、ＲＡＭまたは各モジュール／ユニットによる実行のための情報および命令を格納することができる他のタイプの動的記憶装置を含むことができる。例えば、上述の評価ユニットおよび／または暗号化／復号化ユニットは、処理ユニットによって実現されてもよい。ＲＯＭは、ＲＯＭ装置または処理ユニットによる使用のための静的情報および命令を記憶することができる他のタイプの静的記憶装置を含むことができる。
【００７１】
医療評価装置１０は、主メモリ、ＲＯＭおよび／または記憶装置などのコンピュータ可読媒体に含まれるソフトウェアアルゴリズムを実行する処理ユニットに応答して、これらの動作を実行することができる。コンピュータ可読媒体は、物理的または論理的な記憶装置として定義することができる。例えば、論理メモリ装置は、単一の物理メモリ装置内にメモリを含むか、または複数の物理メモリ装置にわたって分散されてもよい。主メモリ、ＲＯＭおよび記憶装置の各々は、プログラムコードとしての命令を有するコンピュータ可読媒体を含むことができる。ソフトウェアアルゴリズムは、記憶装置などの別のコンピュータ可読媒体のための主メモリに、または通信インターフェースを介して別の装置から、読み込まれてもよい。
【００７２】
主メモリに含まれるソフトウェアアルゴリズムは、処理ユニット上で実行されたときにデータプロセッサを含む処理ユニットに、本明細書で説明される動作またはプロセスを実行させることができる。あるいは、本明細書に記載のプロセスおよび／または動作を実行するために、ソフトウェアアルゴリズムの代わりに、またはソフトウェアアルゴリズムと組み合わせてハードワイヤード回路を使用してもよい。したがって、本明細書で説明される実施形態は、ハードウェアとソフトウェアとの特定の組み合わせに限定されない。
【００７３】
さらに、医療評価装置の各ユニットは、ハードウェア、ソフトウェア、フィールドプログラマブルゲートアレイ（ＦＰＧＡ）、特定用途向け集積回路（ＡＳＩＣ）、ファームウェアなどにおいて実行することができる。
【００７４】
本発明の実体および方法、本発明の構成において、本発明の範囲から逸脱することなく、様々な変更および変形が可能であることは、当業者には明らかであろう。
【００７５】
本発明は、全ての態様において限定的ではなく例示的であることが意図される特定の実施形態および実施例に関連して説明された。当業者であれば、ハードウェア、ソフトウェアおよび／またはファームウェアの多くの異なる組合せが本発明を実施するのに適していることを理解するであろう。
【００７６】
（付記）
（付記１）
治療プロトコルに従って液体薬剤を噴霧するための、エアロゾルジェネレーター（３１）を有するエアロゾルネブライザー（３０）を使用するときの前記治療プロトコルに対する遵守を評価するための医療評価装置（１０）であって、
前記医療評価装置（１０）は、
通信装置（２０）との通信接続を確立するように構成された通信ユニット（１００）であって、前記通信接続が、
前記治療プロトコルに従って前記エアロゾルネブライザーを構成するための第１構成データを前記通信装置（２０）を介して前記エアロゾルネブライザーのネブライザー制御装置（４０）に供給し、
前記通信装置（２０）から、前記エアロゾルネブライザーの動作を示す噴霧データを受信する、
ように構成される、通信ユニット（１００）と、
前記受信した噴霧データと前記治療プロトコル内で定義されたそれぞれのパラメータとの比較に基づいて、前記治療プロトコルに対する前記遵守を評価するように構成された評価ユニット（１１０）と、を含み、
前記評価ユニット（１１０）は、治療関連のフィードバックデータを生成するためにさらに構成される、
医療評価装置（１０）。
【００７７】
（付記２）
前記通信ユニット（１００）は、前記制御装置（４０）の識別値と前記通信装置（２０）の識別値との間の関連付けを前記通信装置（２０）に転送するようにさらに構成される、付記１に記載の医療評価装置（１０）。
【００７８】
（付記３）
前記通信ユニット（１００）は、前記通信装置（２０）と前記ネブライザー制御装置（４０）との間の無線通信接続の確立をアクティブ化するために、前記通信装置（２０）に命令を転送するようにさらに構成される、付記１または２に記載の医療評価装置（１０）。
【００７９】
（付記４）
前記通信ユニット（１００）は、前記通信装置（２０）と前記ネブライザー制御装置（４０）との間の前記無線通信接続を非アクティブ化するために、前記通信装置（２０）に非アクティブ化の命令を転送するようにさらに構成される、付記１〜３のいずれか１つに記載の医療評価装置（１０）。
【００８０】
（付記５）
前記第１構成データは、前記制御装置（４０）の識別値、現在の日付、現在の時刻、最大噴霧持続時間、最大記憶可能記録数、自動データ転送の非アクティブ化、および前記液体薬剤に使用可能な１つまたは複数の薬物の識別、の少なくとも１つを含む、付記１〜４のいずれか１つに記載の医療評価装置（１０）。
【００８１】
（付記６）
前記噴霧データは、噴霧日付、噴霧時刻、噴霧持続時間、前記エアロゾルネブライザーのスイッチオフのための１つまたは複数の中断基準、ユーザーによる使用状態、リザーバ内の前記液体薬剤の充填レベル、前記ユーザーの吸入／吐出の流量／容量／時間特性、および前記液体薬剤に使用される１つまたは複数の薬物のリスト、の少なくとも１つを含む、付記１〜５のいずれか１つに記載の医療評価装置（１０）。
【００８２】
（付記７）
前記噴霧データを受信することは、前記通信装置（２０）の識別と前記ネブライザー制御装置（４０）の識別とを受信することに関連する、付記１〜６のいずれか１つに記載の医療評価装置（１０）。
【００８３】
（付記８）
前記評価ユニット（１１０）は、前記通信装置（２０）の受信された前記識別と前記ネブライザー制御装置（４０）の受信された前記識別が記憶された識別対と一致する場合にのみ、前記遵守を評価するようにさらに構成される、付記１〜７のいずれか１つに記載の医療評価装置（１０）。
【００８４】
（付記９）
暗号化／復号化ユニット（１２０）を含み、前記暗号化／復号化ユニット（１２０）は、前記構成データを暗号化し、前記噴霧データを復号化するようにさらに構成される、付記１〜８のいずれか１つに記載の医療評価装置（１０）。
【００８５】
（付記１０）
前記評価ユニット（１１０）は、前記治療プロトコルの定義された期間における毎日の遵守率および／または累積遵守率を計算するようにさらに構成される、付記１〜９のいずれか１つに記載の医療評価装置（１０）。
【００８６】
（付記１１）
前記評価ユニット（１１０）は、各ユーザーまたは定義されたユーザーグループの遵守報告を作成するようにさらに構成される、付記１〜１０のいずれか１つに記載の医療評価装置（１０）。
【００８７】
（付記１２）
前記噴霧データは、前記エアロゾルネブライザー（３０）の連続的な動作のための噴霧開始時間および噴霧持続時間をそれぞれ含み、前記評価ユニット（１１０）は、必要最小吸入持続時間が前記エアロゾルネブライザー（３０）の前記連続的な動作にそれぞれ達したかを判定するようにさらに構成される、付記１〜１１のいずれか１つに記載の医療評価装置（１０）。
【００８８】
（付記１３）
前記評価ユニット（１１０）は、前記毎日の遵守率および／または前記累積遵守率が前記治療プロトコルで定義された前記それぞれのパラメータと一致しない場合、前記治療関連のフィードバックデータを生成するようにさらに構成されている、付記１〜１２のいずれか１つに記載の医療評価装置（１０）。
【００８９】
（付記１４）
前記治療関連のフィードバックデータは、前記ネブライザー制御装置（４０）で命令を生成するように構成される、付記１〜１３のいずれか１つに記載の医療評価装置（１０）。
【００９０】
（付記１５）
前記評価ユニット（１１０）は、前記治療プロトコルに対する前記遵守を薬物特異的に評価するようにさらに構成される、付記１〜１４のいずれか１つに記載の医療評価装置（１０）。
【００９１】
（付記１６）
前記医療評価装置（１０）は、呼吸器系の状態ならびに／または患者の肺の状態および／もしくは機能を監視するための診断装置（５０）を追加的に使用するとき、前記治療プロトコルに対する遵守を評価するようにさらに適合されている、付記１〜１５のいずれか１つに記載の医療評価装置（１０）。
【００９２】
（付記１７）
前記診断装置（５０）は、肺活量測定装置および／または非呼吸パラメータを測定するための装置である、付記１６に記載の医療評価装置（１０）。
【００９３】
（付記１８）
前記通信接続は、
前記治療プロトコルに従って前記診断装置（５０）を構成するための第２構成データを、前記通信装置（２０）を介して前記診断装置（５０）の診断制御装置に供給すること、および
前記呼吸器系の状態ならびに／または前記患者の肺の状態および／もしくは機能を示す診断データを受信すること、
のためにさらに確立される、付記１６または１７に記載の医療評価装置（１０）。
【００９４】
（付記１９）
前記第２構成データは、呼吸値および非呼吸値の少なくとも１つを含む、付記１８に記載の医療評価装置（１０）。
【００９５】
（付記２０）
前記呼吸値は、呼吸データ、特に呼吸周波数、吐出流量または吸入流量、吸入／吐出の持続時間および／または吸入容量を含む、付記１９に記載の医療評価装置（１０）。
【００９６】
（付記２１）
前記医療評価装置（１０）は、前記治療プロトコルを適合させるときに前記診断データを使用するようにさらに構成される、付記１８〜２０のいずれか１つに記載の医療評価装置（１０）。
【００９７】
（付記２２）
前記医療評価装置（１０）は、前記ネブライザー制御装置に前記第１構成データを適合させるときに、前記診断データを使用するようにさらに構成される、付記１８〜２１のいずれか１つに記載の医療評価装置（１０）。
【００９８】
（付記２３）
命令を含むコンピュータプログラムであって、前記プログラムが１つまたは複数のデータプロセッサ上で実行されると、前記１つのデータプロセッサまたは前記複数のデータプロセッサに付記１〜２２のいずれか１つに記載の医療評価装置（１０）を実行させるように構成された、命令を含むコンピュータプログラム。
【００９９】
（付記２４）
付記１〜２２のいずれか１つに記載の医療評価機器（１０）、
通信装置（２０）、
ネブライザー制御装置（４０）、および、
エアロゾルネブライザー（３０）、
を備えるシステム。
【０１００】
（付記２５）
さらに診断装置（５０）を備える、付記２４に記載のシステム。
【図１】
2019504696.tif 000004
【図２】
2019504696.tif 000005
【図３ａ】
2019504696.tif 000006
【図３ｂ】
2019504696.tif 000007
【図４】
2019504696.tif 000008
【図５】
2019504696.tif 000009
【図６】
2019504696.tif 000010
【図７】
2019504696.tif 000011
【図８】
2019504696.tif 000012
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
治療プロトコルに従って液体薬剤を噴霧するための、エアロゾルジェネレーター（３１）を有するエアロゾルネブライザー（３０）を使用するときの前記治療プロトコルに対する遵守を評価するための医療評価装置（１０）であって、
前記医療評価装置（１０）は、
通信装置（２０）との通信接続を確立するように構成された通信ユニット（１００）であって、前記通信接続が、
前記治療プロトコルに従って前記エアロゾルネブライザーを構成するための第１構成データを前記通信装置（２０）を介して前記エアロゾルネブライザーのネブライザー制御装置（４０）に供給し、
前記通信装置（２０）から、前記エアロゾルネブライザーの動作を示す噴霧データを受信する、
ように構成される、通信ユニット（１００）と、
前記受信した噴霧データと前記治療プロトコル内で定義されたそれぞれのパラメータとの比較に基づいて、前記治療プロトコルに対する前記遵守を評価するように構成された評価ユニット（１１０）と、を含み、
前記評価ユニット（１１０）は、治療関連のフィードバックデータを生成するためにさらに構成され、
前記通信ユニット（１００）は、前記制御装置（４０）の識別値と前記通信装置（２０）の識別値との間の関連付けを前記通信装置（２０）に転送するようにさらに構成される、
医療評価装置（１０）。
【請求項２】
前記通信ユニット（１００）は、前記通信装置（２０）と前記ネブライザー制御装置（４０）との間の無線通信接続の確立をアクティブ化するために、前記通信装置（２０）に命令を転送するようにさらに構成される、請求項１に記載の医療評価装置（１０）。
【請求項３】
前記通信ユニット（１００）は、前記通信装置（２０）と前記ネブライザー制御装置（４０）との間の前記無線通信接続を非アクティブ化するために、前記通信装置（２０）に非アクティブ化の命令を転送するようにさらに構成される、請求項２に記載の医療評価装置（１０）。
【請求項４】
前記第１構成データは、前記制御装置（４０）の識別値、現在の日付、現在の時刻、最大噴霧持続時間、最大記憶可能記録数、自動データ転送の非アクティブ化、および前記液体薬剤に使用可能な１つまたは複数の薬物の識別、の少なくとも１つを含む、請求項１〜３のいずれか１項に記載の医療評価装置（１０）。
【請求項５】
前記噴霧データは、噴霧日付、噴霧時刻、噴霧持続時間、前記エアロゾルネブライザーのスイッチオフのための１つまたは複数の中断基準、ユーザーによる使用状態、リザーバ内の前記液体薬剤の充填レベル、前記ユーザーの吸入／吐出の流量／容量／時間特性、および前記液体薬剤に使用される１つまたは複数の薬物のリスト、の少なくとも１つを含む、請求項１〜４のいずれか１項に記載の医療評価装置（１０）。
【請求項６】
前記噴霧データを受信することは、前記通信装置（２０）の識別と前記ネブライザー制御装置（４０）の識別とを受信することに関連する、請求項１〜５のいずれか１項に記載の医療評価装置（１０）。
【請求項７】
前記評価ユニット（１１０）は、前記通信装置（２０）の受信された前記識別と前記ネブライザー制御装置（４０）の受信された前記識別が記憶された識別対と一致する場合にのみ、前記遵守を評価するようにさらに構成される、請求項１〜６のいずれか１項に記載の医療評価装置（１０）。
【請求項８】
暗号化／復号化ユニット（１２０）を含み、前記暗号化／復号化ユニット（１２０）は、前記構成データを暗号化し、前記噴霧データを復号化するようにさらに構成される、請求項１〜７のいずれか１項に記載の医療評価装置（１０）。
【請求項９】
前記評価ユニット（１１０）は、前記治療プロトコルの定義された期間における毎日の遵守率および／または累積遵守率を計算するようにさらに構成される、請求項１〜８のいずれか１項に記載の医療評価装置（１０）。
【請求項１０】
前記評価ユニット（１１０）は、各ユーザーまたは定義されたユーザーグループの遵守報告を作成するようにさらに構成される、請求項１〜９のいずれか１項に記載の医療評価装置（１０）。
【請求項１１】
前記噴霧データは、前記エアロゾルネブライザー（３０）の連続的な動作のための噴霧開始時間および噴霧持続時間をそれぞれ含み、前記評価ユニット（１１０）は、必要最小吸入持続時間が前記エアロゾルネブライザー（３０）の前記連続的な動作にそれぞれ達したかを判定するようにさらに構成される、請求項１〜１０のいずれか１項に記載の医療評価装置（１０）。
【請求項１２】
前記評価ユニット（１１０）は、前記毎日の遵守率および／または前記累積遵守率が前記治療プロトコルで定義された前記それぞれのパラメータと一致しない場合、前記治療関連のフィードバックデータを生成するようにさらに構成されている、請求項１〜１１のいずれか１項に記載の医療評価装置（１０）。
【請求項１３】
前記治療関連のフィードバックデータは、前記ネブライザー制御装置（４０）で命令を生成するように構成される、請求項１〜１２のいずれか１項に記載の医療評価装置（１０）。
【請求項１４】
前記評価ユニット（１１０）は、前記治療プロトコルに対する前記遵守を薬物特異的に評価するようにさらに構成される、請求項１〜１３のいずれか１項に記載の医療評価装置（１０）。
【請求項１５】
前記医療評価装置（１０）は、呼吸器系の状態ならびに／または患者の肺の状態および／もしくは機能を監視するための診断装置（５０）を追加的に使用するとき、前記治療プロトコルに対する遵守を評価するようにさらに適合されている、請求項１〜１４のいずれか１項に記載の医療評価装置（１０）。
【請求項１６】
前記診断装置（５０）は、肺活量測定装置および／または非呼吸パラメータを測定するための装置である、請求項１５に記載の医療評価装置（１０）。
【請求項１７】
前記通信接続は、
前記治療プロトコルに従って前記診断装置（５０）を構成するための第２構成データを、前記通信装置（２０）を介して前記診断装置（５０）の診断制御装置に供給すること、および
前記呼吸器系の状態ならびに／または前記患者の肺の状態および／もしくは機能を示す診断データを受信すること、
のためにさらに確立される、請求項１５または１６に記載の医療評価装置（１０）。
【請求項１８】
前記第２構成データは、呼吸値および非呼吸値の少なくとも１つを含む、請求項１７に記載の医療評価装置（１０）。
【請求項１９】
前記呼吸値は、呼吸データ、特に呼吸周波数、吐出流量または吸入流量、吸入／吐出の持続時間および／または吸入容量を含む、請求項１８に記載の医療評価装置（１０）。
【請求項２０】
前記医療評価装置（１０）は、前記治療プロトコルを適合させるときに前記診断データを使用するようにさらに構成される、請求項１７〜１９のいずれか１項に記載の医療評価装置（１０）。
【請求項２１】
前記医療評価装置（１０）は、前記ネブライザー制御装置に前記第１構成データを適合させるときに、前記診断データを使用するようにさらに構成される、請求項１７〜２０のいずれか１項に記載の医療評価装置（１０）。
【請求項２２】
命令を含むコンピュータプログラムであって、前記プログラムが１つまたは複数のデータプロセッサ上で実行されると、前記１つのデータプロセッサまたは前記複数のデータプロセッサに請求項１〜２１のいずれか１項に記載の医療評価装置（１０）を実行させるように構成された、命令を含むコンピュータプログラム。
【請求項２３】
請求項１〜２１のいずれか１項に記載の医療評価機器（１０）、
通信装置（２０）、
ネブライザー制御装置（４０）、および、
エアロゾルネブライザー（３０）、
を備えるシステム。
【請求項２４】
さらに診断装置（５０）を備える、請求項２３に記載のシステム。
【国際調査報告】
2019504696.tif 000013
2019504696.tif 000014
2019504696.tif 000015